(57)【要約】【課題】動画撮影時において、長時間の必要な部分のみを１つのファイルとして撮影することができるようにする。【解決手段】本発明のデジタルスチルカメラのＣＰＵ１は、動画撮影を開始するシャッターボタン１０１が押下された際、記憶媒体２０の記録開始位置にヘッダ部を設けて動画記録開始位置を書き込んで動画像データの書き込みを開始し、一時停止ボタン１０２が押下された際、記憶媒体２０への記録動作を一時停止し、再度一時停止ボタン１０２が押下された際、再び記憶媒体２０への動画像データの書き込みを開始し、再度シャッターボタン１０１が押下された際、記憶媒体２０への動画像データの書き込みを終了し、記憶媒体２０の上記ヘッダ部に動画記録終了位置を書き込んで１つのファイルにして終了する。【選択図】図２
2005191756.tif 000002
【特許請求の範囲】
【請求項１】
静止画および動画を撮影する撮影手段と、この撮影手段で撮影された静止画像データおよび動画像データを表示する表示手段と、上記撮影手段で撮影された静止画像データおよび動画像データを記録する記録手段とを有するデジタルスチルカメラにおいて、
上記動画の撮影中に撮影の一時停止を指示する一時停止指示手段と、
この一時停止指示手段で撮影の一時停止が指示された際、上記記録手段への動画像データの記録を一時停止する制御を行う第１の制御手段と、
この第１の制御手段の制御で一時停止された上記記録手段への動画像データの記録再開を指示する再開指示手段と、
この再開指示手段で記録再開が指示された際、上記記録手段への動画像データの記録を再開する制御を行う第２の制御手段と、
上記動画の撮影停止を指示する停止指示手段と、
この停止指示手段で上記動画の撮影停止が指示された際、上記記録手段へ記録された動画像データを上記一時停止前後を含めて１つのファイルとして上記記録手段へ保存する制御を行う第３の制御手段と、
を具備したことを特徴とするデジタルスチルカメラ。 
【請求項２】
上記第１の制御手段または上記第２の制御手段は、さらに上記記録手段への動画像データの記録を一時停止した際、一時停止時または再開時にインデックスを付与することを特徴とする請求項１記載のデジタルスチルカメラ。
【請求項３】
上記第１の制御手段または上記第２の制御手段は、さらに上記記録手段への動画像データの記録を一時停止した際、この一時停止前後の動画像データにワイプ、フェーダー等の特殊効果を挿入することを特徴とする請求項１記載のデジタルスチルカメラ。
【請求項４】
上記第１の制御手段は、さらに上記動画の撮影が一時停止中であることをアイコン等で上記表示手段に表示する制御を行うことを特徴とする請求項１記載のデジタルスチルカメラ。
【発明の詳細な説明】
【技術分野】
【０００１】
この発明は、静止画および動画撮影が可能なデジタルスチルカメラに関する。
【背景技術】
【０００２】
従来、静止画だけでなく動画撮影が可能なデジタルスチルカメラが普及しつつある（例えば特許文献１）。
【０００３】
デジタルスチルカメラにて動画を撮影する場合、撮影された動画は、１つのファイル（１クリップ）として記憶媒体に保存される。１クリップの撮影可能時間は、内蔵のバッファメモリや、記憶媒体の容量に依存するが、数秒〜数分程度である。
【０００４】
撮影したいシーンが１クリップの撮影可能時間より長い場合、あるいは途中に不要なシーンを含む場合、従来、数回の撮影を実行して必要な部分のみを撮影していた。例えば、全体のシーンの間に不要なシーンが２箇所ある場合、撮影を３回繰り返し行うことで、記憶媒体には３つのファイルが作成される。
【０００５】
しかしながら、この３つのファイルには、それぞれ独立していて関連性がなく、連続して再生することが困難であった。また、このようなファイル数が多くなると、ファイルの管理が煩雑になってしまうことにもなった。
【０００６】
そこで、複数のファイルを１つのファイルに纏めるためには、撮影後にパーソナルコンピュータや、その他編集装置にて編集作業を行う必要があった。
【０００７】
一方、磁気テープを記憶媒体とするカムコーダーは、ファイルという概念がなく、テープに記録されたシーンが連続的に再生されるため、上述したような問題が発生することはない。
【特許文献１】特開２００２−１４２１４５号公報
【発明の開示】
【発明が解決しようとする課題】
【０００８】
上記したように、動画撮影時において、一旦撮影を停止するとそのたびにファイルが作成されるので、再生する際はファイルを選択する必要があり、長時間のシーンを連続して再生することが困難であるという問題があった。
【０００９】
この発明の目的は、動画撮影時において、長時間の必要な部分のみを１つのファイルとして撮影することのできるデジタルスチルカメラを提供することである。
【課題を解決するための手段】
【００１０】
この発明のデジタルスチルカメラは、静止画および動画を撮影する撮影手段と、この撮影手段で撮影された静止画像データおよび動画像データを表示する表示手段と、上記撮影手段で撮影された静止画像データおよび動画像データを記録する記録手段とを有するデジタルスチルカメラにおいて、上記動画の撮影中に撮影の一時停止を指示する一時停止指示手段と、この一時停止指示手段で撮影の一時停止が指示された際、上記記録手段への動画像データの記録を一時停止する制御を行う第１の制御手段と、この第１の制御手段の制御で一時停止された上記記録手段への動画像データの記録再開を指示する再開指示手段と、この再開指示手段で記録再開が指示された際、上記記録手段への動画像データの記録を再開する制御を行う第２の制御手段と、上記動画の撮影停止を指示する停止指示手段と、この停止指示手段で上記動画の撮影停止が指示された際、上記記録手段へ記録された動画像データを上記一時停止前後を含めて１つのファイルとして上記記録手段へ保存する制御を行う第３の制御手段とから構成されている。
【発明の効果】
【００１１】
本発明のデジタルスチルカメラは、動画撮影時の一時停止機能を有し、記憶媒体への記録を一時停止し、一時停止を解除すると継続して撮影が開始されることより、長時間のシーンの必要な部分のみを1つのファイルとして撮影することが可能となる。
【発明を実施するための最良の形態】
【００１２】
以下、図面を参照して、この発明の実施の形態について詳細に説明する。
【００１３】
図１は、この発明に係るデジタルスチルカメラの背面の外観構成を示すものである。カメラ本体１００には、シャッターボタン１０１、一時停止ボタン１０２、およびカラー液晶表示部１０３とが配置されている。
【００１４】
図２は、図１に示すデジタルスチルカメラの制御系の概略構成を示すものである。すなわち、デジタルスチルカメラは、全体の制御を司るＣＰＵ１、撮像レンズ２、ＣＣＤ（Charge Coupled Device）３、アナログ信号をデジタル信号に変換するＡ／Ｄ変換回路４、デジタル信号を処理するＣＣＤ信号処理回路５、処理信号等を一時記憶するワークメモリ６、ワークメモリ６等をコントロールするメモリコントローラ７、画像表示処理回路８を介して画像を表示するカラー液晶表示部１０３、デジタル信号の圧縮伸張処理を行う画像圧縮伸張処理回路９とから構成されている。
【００１５】
また、ＣＰＵ１には、操作部１０とメモリカード等の記憶媒体２０が接続されている。
【００１６】
操作部１０は、シャッターボタン１０１と一時停止ボタン１０２と含む操作ボタンを有し、各種の操作が行われる。
【００１７】
記憶媒体２０は、着脱可能に構成され、映像信号（圧縮されたデジタル信号）が転送記録される。
【００１８】
ここで、本発明を説明するために従来方式について説明する。
【００１９】
図３は、従来のデジタルスチルカメラで動画を撮影した際の記録例を示すものである。すなわち、動画撮影に際して、図３に示す（ａ）全体のシーンに対し、時間Ｔ０〜Ｔ１が必要シーン、Ｔ１〜Ｔ２が不要シーン、Ｔ２〜Ｔ３が必要シーン、Ｔ３〜Ｔ４が不要シーン、Ｔ４〜Ｔ５が必要シーンであったとする。
【００２０】
この場合、図３の（ｂ）作成されるファイルに示すように、従来は、時間Ｔ０でシャッターボタンが押されて時間Ｔ１まで動画が撮影されて「ＰＤＲ_０００１.ａｖｉ」のファイルが作成される。続いて時間Ｔ１〜Ｔ２までの不要シーンでは撮影が停止される。続いて、時間Ｔ２でシャッターボタンが押されて時間Ｔ３まで動画が撮影されて「ＰＤＲ_０００２.ａｖｉ」のファイルが作成される。続いて時間Ｔ３〜Ｔ４までの不要シーンでは撮影が停止される。続いて、時間Ｔ４でシャッターボタンが押されて時間Ｔ５まで動画が撮影されて「ＰＤＲ_０００３.ａｖｉ」のファイルが作成される。
【００２１】
図４は、このように撮影された際のファイル例を示すものである。フォルダＤＣＩＭに対してフォルダ１００ＴＯＳＨＩが有り、そのフォルダ１００ＴＯＳＨＩの中に図３に示した３つのファイル（ＰＤＲ_０００１.ａｖｉ〜ＰＤＲ_０００３.ａｖｉ）が作成される。
【００２２】
しかしながら、この３つのファイルはそれぞれ独立しており、関連性がないので、連続して再生することが困難であった。
【００２３】
本発明は、動画撮影時に一時停止機能を有し、動画撮影中に一時停止をすると記憶媒体への記録が一時停止し、一時停止を解除すると継続して撮影が開始されるようにし、必要な部分のみを1つのファイルとして撮影できるようにしたものである。
【００２４】
次に、図１，図２に示す構成において、本デジタルスチルカメラにおける動画撮影の動作を図５のフローチャートを参照して説明する。
【００２５】
まず、動画撮影を開始するシャッターボタン１０１が押下された際（ＳＴ１）、ＣＰＵ１は、記憶媒体２０の記録開始位置にヘッダ部を設けて動画記録開始位置を書き込む（ＳＴ２）。
【００２６】
そして、ＣＰＵ１は、動画撮影を開始して記憶媒体２０への動画像データの書き込みを開始する（ＳＴ３）。
【００２７】
例えば、図６に示すように、（ａ）全体のシーンに対する時間Ｔ０〜Ｔ１の必要シーンが撮影される。
【００２８】
そして、不要シーン（時間Ｔ１）となった際、一時停止ボタン１０２が押下される。ＣＰＵ１は、一時停止ボタン１０２が押下された際（ＳＴ４）、記憶媒体２０に記録した動画像データをシーン１として保存したまま記録動作を一時停止する（ＳＴ５）。
【００２９】
そして、撮影を再開（時間Ｔ２）する際、再度、一時停止ボタン１０２が押下される。ＣＰＵ１は、一時停止ボタン１０２が再度押下された際（ＳＴ６）、再び動画撮影を開始して記憶媒体２０への動画像データの書き込みを開始する（ＳＴ３）
例えば、図６に示すように、（ａ）全体のシーンに対する時間Ｔ２〜Ｔ３の必要シーンが撮影され、（ｃ）記憶媒体にはシーン１に続いてシーン２の動画像データが記録される。
【００３０】
そして、不要シーン（時間Ｔ３）となった際、一時停止ボタン１０２が押下される。ＣＰＵ１は、一時停止ボタン１０２が押下された際（ＳＴ４）、記憶媒体２０に記録した動画像データをシーン２として保存したまま記録動作を一時停止する（ＳＴ５）。
【００３１】
そして、撮影を再開（時間Ｔ４）する際、再度、一時停止ボタン１０２が押下される。ＣＰＵ１は、一時停止ボタン１０２が再度押下された際（ＳＴ６）、再び動画撮影を開始して記憶媒体２０への動画像データの書き込みを開始する（ＳＴ３）
例えば、図６に示すように、（ａ）全体のシーンに対する時間Ｔ４からの必要シーンが撮影され、（ｃ）記憶媒体にはシーン２に続いてシーン３の動画像データが記録される。
【００３２】
そして、撮影を終了（時間Ｔ５）する際、再度、シャッターボタン１０１が押下される。ＣＰＵ１は、シャッターボタン１０１が再度押下された際（ＳＴ７）、動画撮影を終了して記憶媒体２０への動画像データの書き込みを終了し、記憶媒体２０の上記ヘッダ部に動画記録終了位置を書き込んで１つのファイルにして終了する（ＳＴ８）。
【００３３】
例えば、図６に示すように、（ａ）全体のシーンに対する時間Ｔ４〜Ｔ５の必要シーンが撮影され、（ｃ）記憶媒体にはシーン２に続いてシーン３の動画像データが記録されると共に、当該ファイルの動画記録終了位置が書き込まれてシーン１，２，３が１つのファイル（ＰＤＲ_０００１.ａｖｉ）として記憶媒体２０に記録される。
【００３４】
図７は、本デジタルスチルカメラにおいて、一時停止した際にインデックスを挿入した場合の例を示すものである。すなわち、ＣＰＵ１は、撮影開始時にインデックス（Index0）を挿入し（ＳＴ３）、一時停止からの再開時にフレームのヘッダ情報等にインデックス（Index１，２）を挿入する（ＳＴ３）。これを再生する際に読み取り、選択できるようにすることで、途中のシーンからの再生も可能となる。
【００３５】
図８は、そのインデックスの選択画像をカラー液晶表示部１０３に表示した例を示すものである。
【００３６】
図９は、本デジタルスチルカメラにおいて、一時停止のタイミングでワイプやフェーダーなどの特殊効果を挿入した場合の例を示すものである。これにより、一時停止前後の画像の不自然なつながりを防止できるとともに、どこからが連続したシーンであるかを容易に識別することが出来る。
【００３７】
図１０，１１，１２は、本デジタルスチルカメラのカラー液晶表示部１０３における画面表示の例を示すものである。図１０は停止中、図１１は録画中、図１２は一時停止中を表すもので、アイコンや文字等によって表示することにより、誤操作を防止することができる。
【００３８】
なお、上記実施の形態では、一時停止時には動画像データの記録を停止するだけであったが、ヘッダ部を設けて一時停止毎に１つのファイルを作成し、最後の動画撮影終了時にこれらのファイルを纏めて１つのファイルとするようにしても良い。
【００３９】
また、一時停止中にバッテリの容量が無くなった際、あるいは電源断となった際、直ちにそれまでの動画像データを纏めて１つのファイルとするようにしても良い。
【００４０】
以上説明したように上記発明の実施の形態によれば、長時間のシーンの必要な部分のみを１つのファイルとして保存することが可能となり、使用者の利便性を向上することができる。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４２】
【図１】本発明の実施の形態が適用可能なデジタルスチルカメラの背面の外観構成を示す図。
【図２】デジタルスチルカメラの制御系の概略構成を示すブロック図。
【図３】従来のデジタルスチルカメラで動画を撮影した際の記録例を示す図。
【図４】従来の記録時間と作成されるファイル構成を示す図。
【図５】本デジタルスチルカメラにおける動画撮影の動作を説明するためのフローチャート。
【図６】記録時間と作成されるファイル構成を説明するための図。
【図７】インデックスを付加したファイル構成を示す図。
【図８】再生時にインデックスを選択する画面例を示す図。
【図９】特殊効果を付加したファイル構成を示す図。
【図１０】本デジタルスチルカメラにおける動画撮影時の表示例を示す図。
【図１１】本デジタルスチルカメラにおける動画撮影時の表示例を示す図。
【図１２】本デジタルスチルカメラにおける動画撮影時の表示例を示す図。
【符号の説明】
【００４３】
１…ＣＰＵ（第１，２，３の制御手段）、２…撮像レンズ、３…ＣＣＤ、４…Ａ／Ｄ変換回路、５…ＣＣＤ信号処理回路、６…ワークメモリ、７…メモリコントローラ、８…画像表示処理回路、９…画像圧縮伸張処理回路、１０…操作部、２０…記憶媒体（記録手段）、１００…カメラ本体、１０１…シャッターボタン（停止指示手段）、１０２…一時停止ボタン（一時停止指示手段、再開指示手段）、１０３…カラー液晶表示部（表示手段）。
【図１】
2005191756.tif 000003
【図２】
2005191756.tif 000004
【図３】
2005191756.tif 000005
【図４】
2005191756.tif 000006
【図５】
2005191756.tif 000007
【図６】
2005191756.tif 000008
【図７】
2005191756.tif 000009
【図８】
2005191756.tif 000010
【図９】
2005191756.tif 000011
【図１０】
2005191756.tif 000012
【図１１】
2005191756.tif 000013
【図１２】
2005191756.tif 000014